(57)【特許請求の範囲】
【請求項１】
複数の電話機と、前記複数の電話機のそれぞれに接続可能な主装置と、を含む内線電話番号設定システムであって、
前記複数の電話機のそれぞれは、
表示手段と、
ダイヤルキーと所定キーとを有する操作手段と、
前記操作手段内のダイヤルキーに対する操作に応じた操作番号と、前記操作手段内の所定キーに対する操作に応じた操作信号と、を送信する管理手段と、を含み、
前記主装置は、
前記複数の電話機のそれぞれに設定されている内線電話番号のそれぞれを記憶する記憶手段と、
前記複数の電話機のいずれか一つと接続可能であり、実際に接続された電話機から前記操作番号と前記操作信号とを受信する接続手段と、
前記接続手段が受信した操作番号を前記記憶手段から検索し、また、前記接続手段が前記操作信号を受信するたびに、前記操作番号を、当該操作番号に最も近い番号に変更していき、当該操作番号が変更されるたびに、当該変更された操作番号を前記記憶手段から検索する検索手段と、
前記検索手段の検索結果を、前記接続手段に接続された電話機の表示手段に表示する通知手段と、を含む、内線電話番号設定システム。
【請求項２】
請求項１に記載の内線電話番号設定システムにおいて、
前記所定キーには、第一所定キーと、第二所定キーとがあり、
前記管理手段は、前記第一所定キーが操作されると、前記操作信号として第一操作信号を送信し、また、前記第二所定キーが操作されると、前記操作信号として第二操作信号を送信し、
前記検索手段は、前記接続手段が前記第一操作信号を受信するたびに、前記操作番号を、当該操作番号より大きい番号の中で当該番号に最も近い番号に変更していき、また、前記接続手段が前記第二操作信号を受信するたびに、前記操作番号を、当該操作番号より小さい番号の中で当該番号に最も近い番号に変更していく、内線電話番号設定システム。
【請求項３】
請求項２に記載の内線電話番号設定システムにおいて、
前記所定キーは、予め定められた機能を実行するための機能キーと兼用され、
前記主装置は、通常モードと設定モードとのどちらか一方が設定されるモード設定手段と、前記モード設定手段に前記通常モードが設定されている場合、前記接続手段が前記操作信号を受信するたびに、前記機能を実行する実行手段と、を含み、
前記検索手段は、前記モード設定手段に前記設定モードが設定されている場合、前記接続手段が前記操作信号を受信するたびに、前記操作番号を変更していく、内線電話番号設定システム。
【請求項４】
請求項３に記載の内線電話番号設定システムにおいて、
前記所定キーは、通話時における受信音声の音量を調節するための音量調節キーと兼用され、
前記実行手段は、前記接続手段が前記操作信号を受信するたびに、前記接続手段に接続された電話機の前記受信音声の音量を調節する、内線電話番号設定システム。
【請求項５】
請求項４に記載の内線電話番号設定システムにおいて、
前記第一所定キーは、通話時における受信音声の音量を上げるための音量増加キーと兼用され、
前記第二所定キーは、前記受信音声の音量を下げる音量減少キーと兼用され、
前記実行手段は、前記接続手段が前記第一操作信号を受信するたびに、前記接続手段に接続された電話機の前記受信音声の音量を上げ、前記接続手段が前記第二操作信号を受信するたびに、前記接続手段に接続された電話機の前記受信音声の音量を下げる、内線電話番号設定システム。
【請求項６】
請求項１ないし５のいずれか１項に記載の内線電話番号設定システムにおいて、
前記主装置は、前記検索手段が前記操作番号を見つけられないと、当該操作番号を、当該操作番号を受信した接続手段に接続された電話機の内線電話番号として設定する登録手段を含む、内線電話番号設定システム。
【請求項７】
ダイヤルキーと所定キーとを有する複数の電話機と、前記複数の電話機のそれぞれに設定されている内線電話番号のそれぞれを記憶する記憶手段と前記複数の電話機のいずれか一つと接続可能な接続手段とを含む主装置と、を含む内線電話番号設定システムによる内線電話番号設定方法であって、
前記複数の電話機のそれぞれが、前記ダイヤルキーに対する操作に応じた操作番号を送信し、
前記主装置が、前記接続手段で前記操作番号を受信し、
前記主装置が、前記接続手段で受信された操作番号を前記記憶手段から検索し、その検索結果を、前記接続手段に接続された電話機に表示し、
当該電話機が、前記所定キーに対する操作に応じた操作信号を送信し、
前記主装置が、前記接続手段で前記操作信号を受信し、
前記主装置が、前記接続手段で前記操作信号を受信するたびに、前記操作番号を、当該操作番号に最も近い番号に変更していき、当該操作番号が変更されるたびに、当該変更された操作番号を前記記憶手段から検索し、
前記主装置が、その検索結果を前記接続手段に接続された電話機に表示する、内線電話番号設定方法。
【請求項８】
請求項７に記載の内線電話番号設定方法において、
前記所定キーには、第一所定キーと、第二所定キーとがあり、
前記複数の電話機のそれぞれが、前記第一所定キーが操作されると、前記操作信号として第一操作信号を送信し、また、前記第二所定キーが操作されると、前記操作信号として第二操作信号を送信し、
前記主装置が、前記接続手段で前記第一操作信号を受信するたびに、前記操作番号を、当該操作番号より大きい番号の中で当該番号に最も近い番号に変更していき、また、前記接続手段で前記第二操作信号を受信するたびに、前記操作番号を、当該操作番号より小さい番号の中で当該番号に最も近い番号に変更していく、内線電話番号設定方法。
【請求項９】
請求項８に記載の内線電話番号設定方法において、
前記所定キーは、予め定められた機能を実行するための機能キーと兼用され、
前記主装置が、通常モードと設定モードとのどちらか一方を設定し、
前記主装置が、前記通常モードが設定されている場合、前記接続手段で前記操作信号を受信するたびに、前記機能を実行し、
前記主装置が、前記設定モードが設定されている場合、前記接続手段が前記操作信号を受信するたびに、前記操作番号を変更していく、内線電話番号設定方法。
【請求項１０】
請求項９に記載の内線電話番号設定方法において、
前記所定キーは、通話時における受信音声の音量を調節するための音量調節キーと兼用され、
前記主装置が、前記接続手段で前記操作信号を受信するたびに、前記接続手段に接続された電話機の前記受信音声の音量を調節する、内線電話番号設定方法。
【請求項１１】
請求項１０に記載の内線電話番号設定方法において、
前記第一所定キーは、通話時における受信音声の音量を上げるための音量増加キーと兼用され、
前記第二所定キーは、前記受信音声の音量を下げる音量減少キーと兼用され、
前記主装置が、前記接続手段で前記第一操作信号を受信するたびに、前記接続手段に接続された電話機の前記受信音声の音量を上げ、
前記主装置が、前記接続手段が前記第二操作信号を受信するたびに、前記接続手段に接続された電話機の前記受信音声の音量を下げる、内線電話番号設定方法。
【請求項１２】
請求項７ないし１１のいずれか１項に記載の内線電話番号設定方法において、
前記主装置が、前記検索で前記操作番号を見つけられないと、当該操作番号を、当該操作番号を受信した接続手段に接続された電話機の内線電話番号として設定する、内線電話番号設定方法。
【発明の詳細な説明】
【技術分野】
【０００１】
本発明は、電話機に内線電話番号を設定する内線電話番号設定システムおよび内線電話番号設定方法に関する。
【背景技術】
【０００２】
内線電話機と電話交換機とを有する電話交換機システムにおいて、内線電話機に内線電話番号を設定する場合、電話交換機は、ユーザが内線電話機に入力した番号を、その内線電話機の内線電話番号として設定する。
【０００３】
このとき、入力された番号が、他の内線電話機の内線電話番号として設定されていることがある。このとき、電話交換機システムが一つの内線電話番号を複数の内線電話機に重複して設定することを許可していない場合、その入力された番号を、その内線電話機の内線電話番号として設定することができない。
【０００４】
この場合、ユーザは、他の内線電話機に内線電話番号として設定されていない未設定番号を、設定されている内線電話番号を記載した表を確認するなどして手動で検索し、その検索で見つけた未設定番号を再び内線電話機に入力しなければならない。このため、内線電話番号の設定にかかる手間が大きいという問題がある。
【０００５】
このような問題は、例えば、既に稼動している電話交換機システムに内線電話機をさらに追加する場合に生じる。特に、この電話交換機システムが、多くの内線電話機を有する大規模なシステムであったり、内線電話番号が複雑に設定されているシステムであったりすると、入力された番号が他の内線電話機に設定されている可能性が高くなり、内線電話番号の検索回数が増加する。その結果、内線電話番号の設定にかかる手間が甚大になる。
【０００６】
特許文献１には、ＩＰ電話機において、内線電話番号の設定にかかる手間を軽減することが可能な内線番号自動割当システムが記載されている。
【０００７】
この内線番号自動割当システムは、Ｎ個のＩＰ電話機とＳＩＰサーバとを含む。ＳＩＰサーバは、ＩＰ電話機に設定可能な１番からＮ番までのＮ個の内線電話番号を記憶する。また、各ＩＰ電話機は、固有ＩＤをＳＩＰサーバに送信する。ＳＩＰサーバは、固有ＩＤを受信した順に、内線電話番号を１番からその固有ＩＤのＩＰ電話機に設定していく。
【０００８】
これにより、ＩＰ電話機に内線電話番号を設定する場合、ユーザは、未設定番号を手動で検索する必要がなくなるため、内線電話番号の設定にかかる手間を軽減することが可能になる。
【特許文献１】特開２００６−１８０４１５号公報
【発明の開示】
【発明が解決しようとする課題】
【０００９】
所望の内線電話番号が他の内線電話機に設定されている場合、その所望の内線電話番号に近い内線電話番号がその内線電話機に設定されることが便利なことがある。
【００１０】
例えば、隣同士の内線電話機には、互いに近い内線電話番号が設定されると便利である。このとき、ユーザは、所望の内線電話番号として、隣の内線電話機に設定されている内線電話番号に近い番号を入力しても、その入力した番号が他の内線電話機に設定されていることがある。この場合、その入力した番号に近い未設定番号がその内線電話機に設定されると便利である。
【００１１】
しかしながら、ユーザが、その入力した番号に近い未設定番号を見つけるために、その未設定番号を手動で検索すると手間がかかる。
【００１２】
特許文献１に記載の内線番号自動割当システムでは、ＳＩＰサーバが固有ＩＤを受信した順番に、内線電話番号を１番から内線電話機に設定していく。このため、そもそもユーザが所望の内線電話番号を内線電話機に設定することができないし、また、所望の内線電話番号が既に他の内線電話機に設定されている場合に、その所望の内線電話番号に近い未設定番号を見つけることができないという問題がある。
【００１３】
本発明の目的は、上記の課題である、所望の内線電話番号が既に他の内線電話機に設定されている場合に、その所望の内線電話番号に近い未設定番号を見つけることができないという問題を解決する、内線電話番号設定システムおよび内線電話番号設定方法を提供することである。
【課題を解決するための手段】
【００１４】
本発明による内線電話番号設定システムは、数の電話機と、前記複数の電話機のそれぞれに接続可能な主装置と、を含む内線電話番号設定システムであって、前記複数の電話機のそれぞれは、表示手段と、ダイヤルキーと所定キーとを有する操作手段と、前記操作手段内のダイヤルキーに対する操作に応じた操作番号と、前記操作手段内の所定キーに対する操作に応じた操作信号と、を送信する管理手段と、を含み、前記主装置は、前記複数の電話機のそれぞれに設定されている内線電話番号のそれぞれを記憶する記憶手段と、前記複数の電話機のいずれか一つと接続可能であり、実際に接続された電話機から前記操作番号と前記操作信号とを受信する接続手段と、前記接続手段が受信した操作番号を前記記憶手段から検索し、また、前記接続手段が前記操作信号を受信するたびに、前記操作番号を、当該操作番号に最も近い番号に変更していき、当該操作番号が変更されるたびに、当該変更された操作番号を前記記憶手段から検索する検索手段と、前記検索手段の検索結果を、前記接続手段に接続された電話機の表示手段に表示する通知手段と、を含む。
【００１５】
また、本発明による内線電話番号設定方法は、ダイヤルキーと所定キーとを有する複数の電話機と、前記複数の電話機のそれぞれに設定されている内線電話番号のそれぞれを記憶する記憶手段と前記複数の電話機のいずれか一つと接続可能な接続手段とを含む主装置と、を含む内線電話番号設定システムによる内線電話番号設定方法であって、前記複数の電話機のそれぞれが、前記ダイヤルキーに対する操作に応じた操作番号を送信し、前記主装置が、前記接続手段で前記操作番号を受信し、前記主装置が、前記接続手段で受信された操作番号を前記記憶手段から検索し、その検索結果を、前記接続手段に接続された電話機に表示し、当該電話機が、前記所定キーに対する操作に応じた操作信号を送信し、前記主装置が、前記接続手段で前記操作信号を受信し、前記主装置が、前記接続手段で前記操作信号を受信するたびに、前記操作番号を、当該操作番号に最も近い番号に変更していき、当該操作番号が変更されるたびに、当該変更された操作番号を前記記憶手段から検索し、前記主装置が、その検索結果を前記接続手段に接続された電話機に表示する。
【発明の効果】
【００１６】
本発明によれば、所望の内線電話番号が既に他の内線電話機に設定されている場合に、その所望の内線電話番号に近い未設定番号を見つけることが可能になる。
【発明を実施するための最良の形態】
【００１７】
以下、本発明の実施形態について図面を参照して説明する。
【００１８】
図１は、本発明の第一の実施形態の内線電話システムを示したブロック図である。図１において、内線電話番号設定システムは、複数の内線ボタン電話機１と、主装置２とを含む。
【００１９】
内線ボタン電話機（以下、電話機と称する）１のそれぞれと主装置２とは、相互に接続可能である。図１には、実際に主装置２と接続された電話機１のうち、二つの電話機１が示されている。
【００２０】
図２は、電話機１の概観を模式的に示した模式図である。図２において、電話機１は、ハンドセット（送受器）１１と、表示部１２と、ダイヤルキー１３と、機能キー１４とを含む。
【００２１】
ハンドセット１１は、電話機１のユーザが通話を行うための音声入出力装置である。
【００２２】
表示部１２は、種々の情報を表示する。
【００２３】
ダイヤルキー１３は、ユーザが内線電話番号を入力するために用いられる。例えば、ダイヤルキー１３内のキーのそれぞれには、１から９までのいずれかの番号が割り当てられ、ユーザは、そのキーを操作（例えば、押下）することで、その割り当てられた番号を入力する。
【００２４】
機能キー１４は、複数ある。機能キー１４のそれぞれは、予め定められた機能を実行するために用いられる。例えば、機能キー１４内のキーのそれぞれには、種々の機能が割り当てられ、ユーザは、そのキーを操作することでその機能を実行する。
【００２５】
機能キー１４は、例えば、音量増ボタン１４ａと、音量増ボタン１４ｂ、決定キー１４ｃおよび局線キー１４ｄなどを含む。
【００２６】
音量増ボタン１４ａおよび音量減ボタン１４ｂは、通話時における受信音声の音量を調節するための音量調節ボタンを構成する。音量増ボタン１４ａは、受信音声の音量を上げるために用いられ、音量減ボタン１４ｂは、受信音声の音量を下げるために用いられる。図２では、音量増ボタン１４ａには、上向き矢印がプリントされ、音量増ボタン１４ｂには、下向き矢印がプリントされているが、これらのプリントは当然なくてもよい。
【００２７】
図３は、電話機１の構成例を示したブロック図である。なお、図３において、図２と同じものには同じ符号を付し、その機能の説明を省略することがある。
【００２８】
図３において、電話機１は、ハンドセット１１と、表示部１２と、操作部１５と、主装置インターフェース部１６と、管理部１７とを含む。
【００２９】
操作部１５は、図２で示したダイヤルキー１３および機能キー１４を含み、ユーザが種々の操作を行うために用いられる。
【００３０】
主装置インターフェース部１６は、主装置２と接続可能なインターフェースである。
【００３１】
管理部１７は、操作部１５に対する操作を監視し、その操作に応じた信号を主装置２に送信する。
【００３２】
例えば、管理部１７は、ダイヤルキー１３が操作されると、その操作に応じた操作番号を主装置２に送信する。
【００３３】
また、管理部１７は、機能キー１４内の所定キーが操作されると、その操作に応じた操作信号を主装置２に送信する。ここで、所定キーには、第一所定キーと第二所定キーとがあり、管理部１７は、第一所定キーが操作されると、第一操作信号を送信し、第二所定キーが操作されると、第二操作信号を送信する。
【００３４】
本実施形態では、所定キーは、音量増ボタン１４ａおよび音量減ボタン１４ｂからなる音量調節ボタンと兼用される。具体的には、第一所定キーが、音量増ボタン１４ａと兼用され、第二所定キーが、音量減ボタン１４ｂと兼用される。
【００３５】
さらに、管理部１７は、機能キー１４内の決定キー１４ｃが操作されると、決定キーの操作を示す決定信号を主装置２に送信する。
【００３６】
図１に戻る。主装置２は、例えば、電話交換機である。主装置２は、局線インターフェース部２１と、ボタン電話機インターフェース部２２と、スイッチ部２３と、制御部２４とを含む。
【００３７】
局線インターフェース部２１は、局線と接続され、その局線を経由して外部の電話機と接続される。なお、局線インターフェース部２１は、複数の局線と接続されてもよい。
【００３８】
ボタン電話機インターフェース部２２は、電話機１のいずれか一つと接続可能な複数のポート２２ａを有する。ポート２２ａのそれぞれは、実際に自ポートに接続された電話機１から、操作番号、操作信号および決定信号を受信する。なお、ポート２２ａは、接続手段の一例である。
【００３９】
スイッチ部２３は、制御部２４にて制御され、ボタン電話機インターフェース部２２の各ポート２２ａに接続された電話機１のそれぞれの接続先を切り替える。
【００４０】
制御部２４は、主装置２を制御する。具体的には、制御部２４は、データベース２５と、呼処理部２６と、データ処理部２７とを含み、各部が以下の処理を実行する。
【００４１】
データベース２５は、記憶手段の一例である。データベース２５は、電話機１のそれぞれに設定されている内線電話番号のそれぞれを、その電話機１と接続しているポートのポート番号と対応付けた内線情報を記憶する。なお、ポート番号は、各ポート２２ａに固有の番号であり、そのポート２２ａの識別情報として用いられる。
【００４２】
図４は、内線情報の一例を示した説明図である。図４において、内線情報１００は、ポート番号１０１と、内線番号１０２とを含む。ポート番号１０１は、ポート番号であり、ポート２２ａを特定する。内線電話番号は、ポート番号１０１のポート２２ａに接続された電話機１に設定されている内線電話番号である、
図１に戻る。呼処理部２６は、データベース２５に格納された内線情報に基づいて、スイッチ部２３を制御し、電話機１の呼制御を行う。なお、呼制御とは、電話機と、加入者交換機間や、加入者交換機と中継交換機間などで着信電話番号情報をやり取りして、電話機間に通話チャネルを確立するための制御である。なお、呼処理部２６による呼制御は、当業者にとって自明であり、また、本発明の直接関係しないので、詳細な説明は省略する。
【００４３】
データ処理部２７は、電話機１の内線電話番号の設定を行う。
【００４４】
図５は、データ処理部２７の構成例を示したブロック図である。図５において、データ処理部２７は、設定番号／キー押下条件処理部２８と、検索条件記憶部２９と、検索部３０と、設定画面表示制御部３１と、登録部３２と、機能実行部３３とを含む。
【００４５】
設定番号／キー押下条件処理部（以下、設定処理部と称する）２８は、モード設定手段の一例である。設定処理部２８は、ポート番号ごとに、通常モードと、内線番号設定モードとのどちらか一方の動作モードが設定される。
【００４６】
設定処理部２８は、通常モードが設定されているポート番号のポート２２ａが操作番号を受信すると、その操作番号が特番であるか否かを判断する。設定処理部２８は、操作番号が特番であると、その操作番号を受信したポート２２ａのポート番号の動作モードとして内線番号設定モードを設定する。ここで、特番は、予め定められた特殊番号であり、例えば、９で始まる三桁の番号である。また、内線電話番号として設定することが可能な番号の範囲（以下、設定可能範囲と称する）は、予め定められており、特番は、その設定可能範囲外の番号である。
【００４７】
また、設定処理部２８は、通常モードが設定されているポート番号のポート２２ａが操作信号を受信すると、その操作信号と、その操作信号を受信したポート番号とを機能実行部３３に渡す。
【００４８】
また、設定処理部２８は、内線番号設定モードが設定されているポート番号のポート２２ａが操作番号を受信すると、その操作番号を、その操作番号を受信したポート２２ａのポート番号とを対応付けて検索条件記憶部２９に記憶する。このとき、設定処理部２８は、その操作番号を検索用の検索番号として記憶する。また、設定処理部２８は、さらに、操作番号を、ユーザが所望する所望番号としてポート番号に対応付けて自己（設定処理部２８）内部に記憶してもよい。
【００４９】
さらに、設定処理部２８は、内線番号設定モードが設定されているポート番号のポート２２ａが操作信号を受信すると、その操作信号と、その操作信号を受信したポート番号とを検索部３０に渡す。
【００５０】
検索部３０は、検索条件記憶部２９に検索番号が記憶されると、その検索番号をデータベース２５から検索する。
【００５１】
また、検索部３０は、設定処理部２８から操作信号およびポート番号を渡されるたびに、検索条件記憶部２９にそのポート番号と対応付けて記憶された検索番号を、その検索番号に最も近い番号に変更していく。
【００５２】
具体的には、検索部３０は、その操作信号が第一操作信号の場合、検索番号を、その検索番号より大きい番号の中で、その操作番号に最も近い番号に変更する。つまり、検索部３０は、検索番号に１を加える。
【００５３】
また、検索部３０は、その操作信号が第二操作信号の場合、検索番号を、その検索番号より小さい番号の中で、その操作番号に最も近い番号に変更する。つまり、検索部３０は、検索番号から１を減算する。
【００５４】
検索部３０は、検索番号を変更するたびに、その変更された検索番号をデータベース２５から検索し、渡されたポート番号に対する検索結果を生成する。例えば、検索部３０は、検索番号をデータベース２５から見つられないと、検索番号を内線電話番号として設定したことを示す登録成功情報を検索結果として生成し、検索番号をデータベース２５から見つけると、検索番号が既に他の電話機１に設定されていることを示すエラー情報を検索結果として生成する。
【００５５】
設定画面表示制御部３１は、通知手段の一例である。設定画面表示制御部３１は、表示用情報を電話機１の表示部１２に表示する。
【００５６】
例えば、設定画面表示制御部３１は、設定処理部２８があるポート番号の動作モードを内線番号設定モードに設定すると、設定を希望する内線電話番号の入力をユーザに促がすための番号設定画面を、そのポート番号のポート２２ａに接続された電話機１の表示部１２に表示する。
【００５７】
また、設定画面表示制御部３１は、検索部３０のあるポート番号に対する検索結果を、そのポート番号のポート２２ａに接続された電話機１の表示部１２に表示する。
【００５８】
登録部３２は、検索部３０が検索番号をデータベース２５から見つけられないと、その検索番号と、その検索番号に対応するポート番号とを対応付けてデータベース２５に格納する。これにより、登録部３２は、その検索番号を内線電話番号として、そのポート番号のポート２２ａに接続された電話機１に設定したことになる。
【００５９】
機能実行部３３は、設定処理部２８から操作信号およびポート番号を渡されるたびに、その操作信号に応じた機能を実行する。本実施形態では、所定キーは、音量調節ボタンと兼用されるので、機能実行部３３は、そのポート番号のポート２２ａに接続された電話機１の受信音声の音量を調節する。例えば、機能実行部３３は、その操作信号が第一操作信号であると、その電話機１の受信音声の音量を上げ、その操作信号が第二操作信号であると、その電話機１の受信音声の音量を下げる。
【００６０】
次に動作を説明する。
【００６１】
図６は、内線電話システムの動作を説明するためのシーケンス図である。なお、データ処理部２７の各ポート番号に対する動作モードは、通常モードであるとする。
【００６２】
ユーザは、電話機１のダイヤルキー１３を操作して特番を入力し、特番の入力が終了すると、決定キー１４ｃを操作する。
【００６３】
管理部１７は、ダイヤルキー１３が操作されるたびに、その操作に応じた番号を示す番号信号を、主装置インターフェース１８を経由して主装置２のボタン電話機インターフェース部２２に送信する。その後、管理部１７は、決定キー１４ｃが操作されると、決定信号を、主装置インターフェース１８を経由して主装置２のボタン電話機インターフェース部２２に送信する（ステップＳ１）。
【００６４】
ボタン電話機インターフェース部２２は、ポート２２ａが操作番号を受信するたびに、その操作番号と、そのポート２２ａのポート番号とをデータ処理部２７に送信する。また、ボタン電話機インターフェース部２２は、ポート２２ａが決定信号を受信すると、その決定信号と、そのポート２２ａのポート番号とをデータ処理部２７に送信する（ステップＳ２）
データ処理部２７は、操作番号およびポート番号を受信するたびに、その操作番号およびポート番号を受信した順に対応付けて保持する。データ処理部２７は、決定信号およびポート番号を受信すると、そのポート番号に対応付けて保持している番号信号から操作番号を割り出す。データ処理部２７は、その操作番号が特番か否かを確認する。
【００６５】
ここでは、ユーザが特番を入力しているので、データ処理部２７は、操作番号を特番と判断し、そのポート番号の動作モードとして内線番号設定モードを設定し、番号設定画面を示す画面情報を生成する。データ処理部２７は、その画面情報を含む表示コマンドと、そのポート番号とをボタン電話機インターフェース部２２に送信する（ステップＳ３）。
【００６６】
ボタン電話機インターフェース部２２は、表示コマンドおよびポート番号を受信すると、そのポート番号のポート２２ａに接続された電話機１の主装置インターフェース部１６に表示コマンドを送信する。
【００６７】
主装置インターフェース部１６は、表示コマンドを受信すると、その表示コマンドを管理部１７に送信する。管理部１７は、表示コマンドを受信すると、その表示コマンドに含まれる画面情報が示す番号設定画面を表示部１２に表示する（ステップＳ４）。
【００６８】
番号設定画面を確認したユーザは、電話機１のダイヤルキー１３を操作して、その電話機１に内線電話番号として設定を希望する番号を入力し、その番号の入力が終了すると、決定キー１４ｃを操作する。
【００６９】
管理部１７は、ダイヤルキー１３が操作されるたびに、その操作に応じた番号を示す番号信号を、主装置インターフェース１８を経由して主装置２のボタン電話機インターフェース部２２に送信する。その後、管理部１７は、決定キー１４ｃが操作されると、決定信号を、主装置インターフェース１８を経由して主装置２のボタン電話機インターフェース部２２に送信する（ステップＳ５）。
【００７０】
ボタン電話機インターフェース部２２は、ポート２２ａが操作番号を受信するたびに、その操作番号と、そのポート２２ａのポート番号とをデータ処理部２７に送信する。また、ボタン電話機インターフェース部２２は、ポート２２ａが決定信号を受信すると、その決定信号と、そのポート２２ａのポート番号とをデータ処理部２７に送信する（ステップＳ６）。
【００７１】
データ処理部２７は、操作番号およびポート番号を受信するたびに、その操作番号およびポート番号を受信した順に対応付けて保持する。データ処理部２７は、決定信号およびポート番号を受信すると、そのポート番号に対応付けて保持している番号信号から操作番号を割り出す。データ処理部２７は、その操作番号をおよびポート番号を対応付けて記憶する。このとき、データ処理部２７は、その操作番号を検索番号として記憶する。
【００７２】
データ処理部２７は、その検索番号をデータベース２５から検索する（ステップＳ７）。なお、ここでは、データ処理部２７は、検索番号をデータベース２５から見つけたものとする。
【００７３】
データ処理部２７は、エラー情報を検索結果として生成し、その検索結果を含む表示コマンドと、そのポート番号とをボタン電話機インターフェース部２２に送信する（ステップＳ８）。
【００７４】
ボタン電話機インターフェース部２２は、表示コマンドおよびポート番号を受信すると、そのポート番号のポート２２ａに接続された電話機１の主装置インターフェース部１６に表示コマンドを送信する。
【００７５】
主装置インターフェース部１６は、表示コマンドを受信すると、その表示コマンドを管理部１７に送信する。管理部１７は、表示コマンドを受信すると、その表示コマンドに含まれる検索結果を表示部１２に表示する（ステップＳ９）。
【００７６】
検索結果（エラー情報）を確認したユーザは、電話機１の音量調節ボタン（音量増ボタン１４ａまたは音量減ボタン１４ｂ）を操作する。
【００７７】
管理部１７は、音量調節ボタンが操作されると、その操作に応じた操作信号（第一操作信号または第二操作信号）を、主装置インターフェース１８を経由して主装置２のボタン電話機インターフェース部２２に送信する（ステップＳ１０）。
【００７８】
ボタン電話機インターフェース部２２は、ポート２２ａが操作信号を受信すると、その操作信号と、そのポート２２ａのポート番号とをデータ処理部２７に送信する（ステップＳ１１）。
【００７９】
データ処理部２７は、操作信号およびポート番号を受信すると、その操作信号に応じて、そのポート番号と対応付けて記憶した検索番号を変更する。具体的には、データ処理部２７は、操作信号が第一操作信号の場合、その検索番号に１を加え、操作信号が第二操作信号の場合、その検索番号から１を差し引く。
【００８０】
データ処理部２７は、その変更した検索番号をデータベース２５から検索する（ステップＳ１２）
データ処理部２７は、その検索結果を含む表示コマンドと、そのポート番号とをボタン電話機インターフェース部２２に送信する（ステップＳ１３）。
【００８１】
ボタン電話機インターフェース部２２は、表示コマンドおよびポート番号を受信すると、そのポート番号のポート２２ａに接続された電話機１の主装置インターフェース部１６に表示コマンドを送信する。
【００８２】
主装置インターフェース部１６は、表示コマンドを受信すると、その表示コマンドを管理部１７に送信する。管理部１７は、表示コマンドを受信すると、その表示コマンドに含まれる検索結果を表示部１２に表示する（ステップＳ１４）。
【００８３】
ここで、検索結果がエラー情報の場合、検索結果が登録成功情報になるまで、ステップＳ１０ないしＳ１４が繰り返される。
【００８４】
次に、内線番号設定モードが設定されているときのデータ処理部２７の動作をより詳細に説明する。図７は、この動作例を説明するためのフローチャートである。なお、以下では、データ処理部２７の設定処理部２８が受信するポート番号は、全て同じであるとし、そのポート番号に対応する動作モードは、内線番号設定モードであるとする。
【００８５】
ステップＳ１０１では、設定処理部２８は、ボタン電話機インターフェース部２２から、何らかの信号とポート番号とを受信すると、その信号が決定信号か否かを判断する。設定処理部２８は、信号が決定信号でないと、ステップＳ１０２を実行し、信号が決定信号であると、ステップＳ１０３を実行する。
【００８６】
ステップＳ１０２では、設定処理部２８は、その信号が番号信号か否かを判断する。
【００８７】
設定処理部２８は、信号が番号信号でないと、その信号を破棄し、ステップＳ１０１を実行する。
【００８８】
また、設定処理部２８は、信号が番号信号であると、その番号信号およびポート番号を対応付けて保持すると共に、その番号信号およびポート番号を、検索部３０を経由して設定画面表示制御部３１に送信する。
【００８９】
設定画面表示制御部３１は、番号信号およびポート番号を受信すると、その番号信号が示す番号を、そのポート番号のポート２２ａに接続された電話機１の表示部１２に表示する。その後、ステップＳ１０１が実行される。
【００９０】
ステップＳ１０３では、設定処理部２８は、そのポート番号と対応して保持されている番号信号から操作番号を割り出し、その操作番号およびポート番号を対応付けて検索条件記憶部２９に記憶する。
【００９１】
設定処理部２８は、そのポート番号および検索の開始を示す開始信号を検索部３０に渡す。検索部３０は、ポート番号および開始信号が渡されると、ステップＳ１０４を実行する。
【００９２】
ステップＳ１０４では、検索部３０は、検索条件記憶部２９から、そのポート番号に対応する検索番号を取得し、その検索番号が予め定められた設定可能範囲に含まれているか否かを判断する。検索部３０は、検索番号が設定可能範囲に含まれていないと、ステップＳ１０５を実行し、検索番号が設定可能範囲に含まれると、ステップＳ１０７を実行する。
【００９３】
ステップＳ１０５では、検索部３０は、希望番号が設定可能範囲に含まれていないことを示す範囲外エラー情報を生成し、その範囲外エラー情報およびポート番号を設定処理部２８および設定画面表示制御部３１に送信する。
【００９４】
設定画面表示制御部３１は、範囲外エラー情報およびポート番号を受信すると、その範囲外エラー情報を、そのポート番号のポート２２ａに接続された電話機１の表示部１２に表示する。
【００９５】
設定処理部２８は、範囲外エラー情報およびポート番号を受信し、その後、所定時間だけ待機すると、ステップＳ１０６を実行する。
【００９６】
ステップＳ１０６では、設定処理部２８は、画面情報を生成し、その画面情報およびポート番号を検索部３０を経由して設定画面表示制御部３１に送信する。設定画面表示制御部３１は、画面情報およびポート番号を受信すると、画面情報が示す番号設定画面を、そのポート番号のポート２２ａに接続された電話機１の表示部１２に表示する。その後、ステップＳ１０１が実行される。
【００９７】
ステップＳ１０７では、検索部３０は、検索番号をデータベース２５から検索する。その後、ステップＳ１０８が実行される。
【００９８】
ステップＳ１０８では、検索部３０は、検索番号をデータベース２５から見つけられないと、検索番号が他の電話機１の内線電話番号と重複していない判断し、ステップＳ１０９を実行する。一方、検索部３０は、検索番号をデータベース２５から見つけると、検索番号が他の電話機１の内線電話番号と重複していると判断し、ステップＳ１１０を実行する。
【００９９】
ステップＳ１０９では、検索部３０は、希望番号およびポート番号を登録部３２に送信する。また、検索部３０は、登録成功情報を検索結果として生成し、その検索結果およびポート番号を設定画面表示制御部３１に送信する。
【０１００】
登録部３２は、希望番号およびポート番号を受信すると、その検索番号およびポート番号を対応付けてデータベース２５に記憶して、検索番号を、そのポート番号のポート２２ａに接続された電話機１の内線電話番号として設定する。
【０１０１】
また、設定画面表示制御部３１は、検索結果およびポート番号を受信すると、登録成功情報を検索結果として生成し、その検索結果をそのポート番号のポート２２ａに接続された電話機１の表示部１２に表示して、処理を終了する。
【０１０２】
ステップＳ１１０では、検索部３０は、エラー情報を検索結果として生成し、その検索結果およびポート番号を設定画面表示制御部３１に送信する。さらに、検索部３０は、エラー情報を設定処理部２８に送信する。
【０１０３】
設定画面表示制御部３１は、検索結果およびポート番号を受信すると、その検索結果をそのポート番号のポート２２ａに接続された電話機１の表示部１２に表示する。
【０１０４】
設定処理部２８は、エラー情報を受信すると、ステップＳ１１１を実行する。
【０１０５】
ステップＳ１１１では、設定処理部２８は、所定時間内に、ボタン電話機インターフェース部２２から操作信号およびポート番号を受信したか否かを確認する。
【０１０６】
設定処理部２８は、所定時間内に操作信号およびポート番号を受信しないと、ステップＳ１０６を実行し、所定時間内に操作信号およびポート番号を受信すると、ステップＳ１１２を実行する。
【０１０７】
ステップＳ１１２では、設定処理部２８は、その操作信号およびポート番号を検索部３０に送信する。
【０１０８】
検索部３０は、その操作信号およびポート番号を受信すると、その操作信号に応じて、検索条件記憶部２９でそのポート番号に対応する検索番号を変更する。具体的には、検索部３０は、その操作信号が第一操作信号であると、その検索番号に１を加え、その操作信号が第二操作信号であると、その検索番号から１を差し引く。
【０１０９】
検索部３０は、検索番号を変更すると、ステップＳ１０４を実行する。
【０１１０】
なお、本実施形態では、検索部３０が検索番号を見つけられないと、登録部３２がその検索番号をデータベース２５に登録していたが、以下のような処理が行なわれてもよい。
【０１１１】
先ず、検索部３０があるポート番号に対して検索番号を見つけられないと、設定画面表示制御部３１が、その検索番号を、そのポート番号のポート２２ａと接続された電話機１の表示部１２に表示する。
【０１１２】
続いて、その電話機１の決定キー１４ｃが操作されると、管理部１７が決定信号を主装置２に送信する。主装置２のポート２２ａが決定信号を受信すると、登録部３２がその検索番号と、そのポート２２ａのポート番号とを対応付けてデータベース２５に記憶するようにしてもよい。
【０１１３】
次に効果を説明する。
【０１１４】
本実施形態では、管理部１７は、ダイヤルキー１３に対する操作に応じた操作番号と、所定キーに対する操作に応じた操作信号を送信する。検索部３０は、ポート２２ａが操作番号を受信すると、その操作番号をデータベース２５から検索する。また、検索部３０は、ポート２２ａが操作信号を受信するたびに、操作番号を、その操作番号に最も近い番号に変更していく。そして、検索部３０は、操作番号が変更されるたびに、その変更した操作番号をデータベース２５から検索する。設定画面表示制御部３１は、その検索結果を、操作信号を受信したポート２２ａに接続された電話機１の表示部１２に表示する。
【０１１５】
この場合、所定キーが操作されるたびに、操作番号が、その操作番号に最も近い番号に変更されていく。そして、操作番号が変更されるたびに、その変更された操作番号がデータベース２５から検索されていく。
【０１１６】
従って、データベース２５に記憶されていない内線電話番号は、内線電話機に設定されていない未設定番号であるので、所定キーが操作されるたびに、操作番号に近い番号から順に、他の電話機１に電話番号として設定されていない未設定番号を検索していくことが可能になる。したがって、所望の内線電話番号が既に他の内線電話機に設定されている場合に、その所望の内線電話番号に近い未設定番号を見つけることが可能になる。
【０１１７】
また、本実施形態では、管理手段は、第一所定キーが操作されると、操作信号として第一操作信号を送信し、また、第二所定キーが操作されると、操作信号として第二操作信号を送信する。検索部３０は、ポート２２ａが第一操作信号を受信するたびに、操作番号を、その操作番号より大きい番号の中でその操作番号に最も近い番号に変更する。また、検索部３０は、ポート２２ａが第二操作信号を受信するたびに、操作番号を、その操作番号より小さい番号の中でその操作番号に最も近い番号に変更していく。
【０１１８】
この場合、第一所定キーが操作されるたびに、その操作番号に近い番号から昇順に未設定番号を検索していくことが可能になり、第二所定キーが操作されるたびに、その操作番号に近い番号から降順に未設定番号を検索していくことが可能になる。したがって、ユーザの希望を反映することが可能になる。
【０１１９】
また、本実施形態では、所定キーは、予め定められた機能を実行するための機能キーと兼用される。この場合、未設定番号を検索するためだけに所定キーを設けなくても良くなるため、電話機１の大型化を抑制することが可能になる。
【０１２０】
また、本実施形態では、所定キーは、受信音声の音量を調節するための音量調節ボタンと兼用される。この場合、音量調節ボタンは、通常、電話機１に備わっているため、電話機１の概観を変更しなくても良くなる。このため、電話機１のコストの増加を抑制することが可能になる。
【０１２１】
また、本実施形態では、第一所定キーは、受信音声の音量を上げるための音量増ボタン１４ａと兼用され、第二所定キーは、受信音声の音量を下げるための音量減ボタン１４ｂと兼用される。
【０１２２】
この場合、音量増ボタン１４ａおよび音量減ボタン１４ｂは、通常、電話機１に備わっているため、電話機１の概観を変更しなくても良くなる。このため、電話機１のコストの増加を抑制することが可能になる。
【０１２３】
また、登録部３２は、検索部３０が検索番号を見つけられないと、その操作番号を、その操作番号を受信したポート２２ａに接続された電話機１の内線電話番号として設定する。
【０１２４】
この場合、未設定番号を自動的に検索するだけでなく、未設定番号を自動的に内線電話番号として電話機１に設定することが可能になる。
【０１２５】
次に第二の実施形態について説明する。
【０１２６】
図８は、本実施形態の内線電話システムを示したブロック図である。図８において、内線電話システムは、複数の電話機（内線ボタン電話機）１と、主装置２とを含む。
【０１２７】
図９は、電話機１の構成例を示したブロック図である。図９において、電話機１は、表示部１２と、ダイヤルキー１３と所定キー４１とを有する操作部１５と、管理部１７とを含む。
【０１２８】
管理部１７は、操作部１５内のダイヤルキー１３に対する操作に応じた操作番号と、操作部１５内の所定キー４１に対する操作に応じた操作番号を送信する。
【０１２９】
図１０は、主装置２の構成例を示したブロック図である。図１０において、主装置２は、データベース２５と、検索部３０と、設定画面表示制御部３１と、複数の接続部４２とを含む。
【０１３０】
データベース２５は、電話機１のそれぞれに設定されている内線電話番号のそれぞれを記憶する。
【０１３１】
接続部４２のそれぞれは、電話機１のいずれか一つと接続可能である。接続部４２のそれぞれは、実際に接続された電話機１から、操作番号および操作信号を受信する。
【０１３２】
検索部３０は、接続部４２が検索番号を受信すると、その検索番号をデータベース２５から検索する。
【０１３３】
また、検索部３０は、接続部４２が操作信号を受信するたびに、その接続部４２が受信した操作番号を、その操作番号に最も近い番号に変更していく。検索部３０は、操作番号を変更するたびに、その変更された操作番号をデータベース２５から検索する。
【０１３４】
設定画面表示制御部３１は、検索部３０の検索結果を、その操作番号を受信した接続部４２に接続された電話機１の表示部１２に表示する。
【０１３５】
次に動作を説明する。
【０１３６】
先ず、ユーザは、電話機１のダイヤルキー１３を操作して、その電話機１に内線電話番号として設定を希望する番号を入力する。
【０１３７】
電話機１の管理部１７は、操作部１５内のダイヤルキー１３に対する操作に応じた操作番号を主装置２に送信する。主装置２の接続部４２は、操作番号を受信すると、その操作番号と、自接続部４２の識別情報とを検索部３０に送信する。
【０１３８】
検索部３０は、操作番号および識別情報を受信すると、その操作番号をデータベース２５から検索し、その検索結果を生成する。検索部３０は、その検索結果および識別情報を設定画面表示制御部３１に送信する。
【０１３９】
設定画面表示制御部３１は、検索結果および識別情報を受信すると、その検索結果を、その識別情報の接続部４２に接続された電話機１の表示部１２に表示する。
【０１４０】
続いて、検索結果を確認したユーザは、電話機１の所定キー４１を操作する。
【０１４１】
電話機１の管理部１７は、所定キー４１に対する操作に応じた操作信号を主装置２に送信する。主装置２の接続部４２は、操作信号を受信すると、その操作信号と、自接続部４２の識別情報とを検索部３０に送信する。
【０１４２】
検索部３０は、操作信号および識別情報を受信すると、その識別情報と同じ識別情報と共に受信した操作番号を、その操作番号に最も近い番号に変更する。そして、検索部３０、その変更した操作番号をデータベース２５から検索し、その検索結果を生成する。検索部３０は、その検索結果および識別情報を設定画面表示制御部３１に送信する。
【０１４３】
設定画面表示制御部３１は、検索結果および識別情報を受信すると、その検索結果を、その識別情報の接続部４２に接続された電話機１の表示部１２に表示する。
【０１４４】
次に効果を説明する。
【０１４５】
本実施形態では、管理部１７は、ダイヤルキー１３に対する操作に応じた操作番号と、所定キー４１に対する操作に応じた操作信号を送信する。検索部３０は、ポートが操作番号を受信すると、その操作番号をデータベース２５から検索する。また、検索部３０は、ポート２２ａが操作信号を受信するたびに、操作番号を、その操作番号に最も近い番号に変更していく。そして、検索部３０は、操作番号が変更されるたびに、その変更した操作番号をデータベース２５から検索する。設定画面表示制御部３１は、その検索結果を、操作信号を受信したポート２２ａに接続された電話機１の表示部１２に表示する。
【０１４６】
この場合でも、所定キーが操作されるたびに、操作番号に近い番号から順に、他の電話機１に電話番号として設定されていない未設定番号を検索していくことが可能になる。したがって、所望の内線電話番号が既に他の内線電話機に設定されている場合に、その所望の内線電話番号に近い未設定番号を見つけることが可能になる。
【０１４７】
なお、本発明において、電話機１をコンピュータに変更し、内線電話番号を各種ＩＰアドレスに変更すれば、各種ＩＰアドレスの設定などにも応用できる。
【０１４８】
以上説明した各実施形態において、図示した構成は単なる一例であって、本発明はその構成に限定されるものではない。
【図面の簡単な説明】
【０１４９】
【図１】本発明の第一の実施形態の内線電話番号設定システムを示したブロック図である。
【図２】内線ボタン電話機の概観を模式的に示した模式図である。
【図３】内線ボタン電話機の構成例を示したブロック図である。
【図４】内線情報の一例を示した説明図である。
【図５】データ処理部の構成例を示したブロック図である。
【図６】内線電話システムの動作を説明するためのシーケンス図である。
【図７】データ処理部の動作をより詳細に説明するためのフローチャートである。
【図８】本発明の第二の実施形態の内線電話番号設定システムを示したブロック図である。
【図９】内線ボタン電話機の他の構成例を示したブロック図である。
【図１０】主装置の他の構成例を示したブロック図である。
【符号の説明】
【０１５０】
１        内線ボタン電話機
２        主装置
１１      ハンドセット
１２      表示部
１３      ダイヤルキー
１４      機能キー
１４ａ    音量増ボタン
１４ｂ    音量減ボタン
１４ｃ    決定キー
１４ｄ    局線キー
１５      操作部
１６      主装置インターフェース部
１７      管理部
２１      局線インターフェース部
２２      ボタン電話機インターフェース部
２３      スイッチ部
２４      制御部
２５      データベース
２６      呼処理部
２７      データ処理部
２８      設定番号／キー押下条件処理部
２９      検索条件記憶部
３０      検索部
３１      設定画面表示制御部
３２      登録部
４１      所定キー
４２      接続部
【図１】
0005082140.tif 000002
【図２】
0005082140.tif 000003
【図３】
0005082140.tif 000004
【図４】
0005082140.tif 000005
【図５】
0005082140.tif 000006
【図６】
0005082140.tif 000007
【図７】
0005082140.tif 000008
【図８】
0005082140.tif 000009
【図９】
0005082140.tif 000010
【図１０】
0005082140.tif 000011